(57)【特許請求の範囲】
【請求項１】
床下収納式折り畳みシートにおいて、折り畳みシートの収納用回転軸には歯車列を介してモータに連結した歯車を設け、これらを車体側に固定し、またシートバックの回転軸の周りに遊星歯車減速機構を組込み、シートバックの回転軸とシートクッションの回転軸との間をスプロケット及びチェーンで連繋させ、シートクッションの回転軸には仲介歯車に噛合させた歯車を取付け、仲介歯車を折り畳みシートの収納用回転軸に設けた歯車に噛合させ、モータ駆動力を歯車列、折り畳みシートの収納用回転軸、仲介歯車及びシートクッションの回転軸を介してシートバックの回転軸に伝達させてシートバックをシートクッション上に倒伏可能にし、前記遊星歯車減速機構にはシートバックがシートクッション上に倒伏したときにシートバックの回転軸をロックしかつシートが床上に戻ったときにシートバックの回転軸のロック解除を行うロック機構を備え、該ロック機構のロック状態において前記仲介歯車を折り畳みシートの収納用回転軸を中心に公転可能に配設し、モータ駆動によるパワー操作でリクライニング動作及び折り畳み収納の一連動作を１モータで行うことを特徴とした折り畳みパワーシート装置。
【請求項２】
前記折り畳みシートの収納用回転軸上にトーションスプリングを組込み、このトーションスプリングの反転力により、シート収納時のガタ及び衝撃を抑止することを特徴とした請求項１に記載の折り畳みパワーシート装置。
【発明の詳細な説明】
【０００１】
【発明の属する技術分野】
本発明は、自動車に装備される床下収納式折り畳み機構を持ち、この機構の駆動を一連動作で行う折り畳みパワーシート装置に関する。
【０００２】
【従来の技術】
従来の床下収納式折り畳みシートにおいて、リクライニング動作及びシートバックの倒伏やシート全体の収納動作の一連動作をパワーで、しかも１モータで行うようにしたものはいまだない。
【０００３】
即ち今までは、ロックの解除、折り畳み操作は手動によっていた。
【０００４】
【発明が解決しようとする課題】
従来の床下収納式折り畳みシートは、前記したように手動操作によるものしかないため、運転者や乗員等が車内を移動して操作するか、車外に一度出て車両後部より再び車内に乗り込んで操作するなどしなければならず、煩わしい操作となっている。
【０００５】
また３列目シートの殆どが２、３人用のベンチシートであるため、シートの重量が大きく、折り畳みの操作をする際のシートの持ち上げ力を要している
。また従来の床下収納式折り畳みシートをパワー化するには、シートバックの倒伏用モータ及びシート全体の収納用モータの２個のモータを必要としている。従って、コスト高となっていた。
【０００６】
【課題を解決するための手段】
本発明は斯様な実情に鑑み、この課題に対処するため、床下収納式折り畳みシートにおいて、折り畳みシートの収納用回転軸の周りにモータ及びギヤ列を組込み、これを車体側に固定し、またシートバックの回転軸の周りに遊星歯車減速機構を組込み、この両回転軸間をスプロケット及びチェンで連繋させ、前記モータ駆動によるパワー操作で、リクライニング動作及び折り畳み収納の一連動作を１モータで行うようにした折り畳みパワーシート装置を提供するものである。
【０００７】
【発明の実施の形態】
本発明は、床下にシート収納が可能にした折り畳みシートであって、リクライニング動作及びシートバックをシートクッション上に倒伏させ、その後、シート全体を後方へ回転、床下に収納する動作をパワー化すると共に、これら一連の動作を１モータで行うようにした折り畳みパワーシート装置による一実施例を示したもので、以下添付図面によって詳細に説明する。
【０００８】
１は床面で、この床面１には一部に窓孔２が切欠され、更に窓孔２の下部に後記折り畳みシートＡを収納する収納室３を設けてある。
【０００９】
窓孔２の一端側の縁部には、折り畳みシートＡの回転軸４が床面１と略同一面上となるように支持する軸受体５を対応させて設けてある。
【００１０】
更に、回転軸４には、シート側ブラケット６の下端部を取付、またブラケット６にはコ状に屈折して成形したシート枠７の一端を下部側に取付、更に、シート枠７の先端部の左右には、下側に向けて脚杆８の一端を枢着する取付け金具９を設けてある。更に、前記脚杆８の下端部には、床面１からの屈折成形した係止部材１１に係止するロック機構ａを備え、かつ屈曲させた脚体１０の夫々端部を嵌着させて設けてある。
【００１１】
前記シート側ブラケット６には補強ブラケット１２を設けてある。
【００１２】
パワーリクライニング偏心シャフト１３は一端にスプロケット１４を取付け、このスプロケット１４は、前記ブラケット６に軸支された軸１５の一端のスプロケット１６とチェン１７を介して連繋されている。更に、軸１５の他端には歯車１８を取付け、この歯車１８は、前記回転軸４に取付けた歯車４ａと仲介歯車１９を介して回転を伝えるようにしてある。
【００１３】
回転軸４に設けた歯車４ａは、歯車列Ｇの最上位の歯車２０と噛合わせ、歯車列Ｇはモータ２１に連絡させてモータ２１の回転を歯車列Ｇを介して回転軸４に伝え、更に回転軸４の回転は歯車４ａを径てスプロケット１６、チェン１７、スプロケット１４を介して偏心シャフト１３に伝え、後記遊星歯車減速機構２９によってパワーリクライニング傾倒動作を行うようにしてある。
【００１４】
前記遊星歯車減速機構２９は、シートクッション側ブラケット６に取付けられるブラケット６ａと、シートバック側のブラケット２２に取付けられたブラケット２２ａを有し、一方のブラケット２２ａには外歯々車２９ａが固定され、他方のブラケット６ａには前記外歯々車２９ａより僅かに歯数の多い内歯々車２９ｂが固定されており、両歯車が一部で噛合いされた状態で偏心シャフト１３によって軸支された構成で、この遊星歯車減速機構２９をリクライニングに組込むことでリクライニングアジャスタを行うものである。
【００１５】
前記リクライニングのシートバック４２側ブラケット２２に設けたブラケット４１には偏心シャフト１３を中心とした半弧状の案内片４１ａ及びケーブル２３の一端を引かけるためのプレート４１ｂを設けることによりケーブル２３を案内片４１ａに沿って案内するようにしてある。
【００１６】
前記ケーブル２３の先端は、前記脚体１０に設けたロック機構ａの作動アーム２４に連結してある。
【００１７】
ロック機構ａは、脚体１０に取付けた２枚の挾持板２５、２５ａと、この挾持板２５、２５ａに夫々挾持されると共に揺動可能に軸支されたロック片２６、２６ａからなり、前記作動アーム２４の作動で、前記係止部材１１とのロック或いは解除を行うようにしてある。
【００１８】
また、前記脚杆８には、シートを折畳んで収納室３に収納した時収納室３の上部を覆う蓋板２７を取付け、前記シート枠７に取付けた後記覆板２８と共に上面を覆うようにしてある。
【００１９】
更に、前記遊星歯車減速機構２９のシートバック側に取付けられる外歯々車２９ａには、前記リクライニング動作によりシートバック４２が、シート枠７上のシートクッション３０に倒伏し、外歯々車２９ａを固定したブラケット２２ａ及びシートクッション側に取付けられるブラケット６ａにそれぞれ設けた受部３９、４０がロックする位置においてロックプレート３２を係合する切欠３１を設けてある。ロックプレート３２はブラケット６に枢支し、しかも先端を前記切欠３１に係合させて外歯々車２９ａをロックするようにする。
【００２０】
ロックプレート３２は、略Ｌ状に成形されると共に、一端を前記切欠３１と係合させる係合部３２ａとし、更に他端にはブラケット６に一端を係止した引張スプリング３３の他端を係止してブラケット６に揺動可能に枢着してある。また、ロックプレート３２の中央の屈折部には、ケーブル３４の一端を連結し、ケーブル３４の他端は、前記回転軸４からのアーム３５に回転可能に軸支した連結軸３５ａに挿入され、しかもこの端部は抜けないようにして、前記アーム３５によってロックプレート３２と切欠３１のロックを解除するようにしてある。
【００２１】
折り畳みシートを収納室３に収納するとき、スイッチでモータ２１を駆動すると歯車列Ｇを介してモータ２１の回転力は、回転軸４、仲介歯車１９、軸１５に順次伝達され、更にスプロケット１６、１４、及びチェン１７を介して偏心シャフト１３に伝え、これによって遊星歯車減速機構２９によってリクライニングを動作し、シートバック４２がシートクッション３０上に倒伏し、外歯々車２９ａの受部３９とブラケット２２ａの受部４０が衝合する位置まで動きロック状態になる。シートバックの折り畳みが完了したら、次にモータ２１の駆動力は回転軸４の歯車４ａと噛み合う仲介歯車１９に伝達され、スプロケット１４、１６とチェン１７により連繋された偏心シャフト１３と軸１５はロックプレート３２からなるロック機構によりロック状態となっているため、軸１５のは歯車１８は仲介歯車１９とともに回転することはなく、仲介歯車１９が回転軸４の周りを公転する形で回転するようになり、その結果としてシート全体が回転軸４を中心に回転し床面１の収納室３内に収納されることになる。
【００２２】
この時回転軸４からのアーム３５に連繋するケーブル３４は遊びができると、スプリング３３の作用でロックプレート３２を切欠３１に係合させてロックする。
【００２３】
また収納動作中シートを床上に戻す前に、前記リクライニングが動作しないように前記ロックプレート３２に作動させた引張スプリング３３によってロック状態を保たせ、更に、シートが床上に戻るとアーム３５が動作しケーブル３４がロックプレート３２を引張スプリング３３に抗して引張り枢支部を中心に回動を行って外歯々車２９ａとのロック解除を行っている。
【００２４】
また、前記回転軸４の中間部はパイプ３７で連結され、このパイプ３７には、シートが自重で回転しようとするエネルギーを吸収できるトーションスプリング３６をパイプ３７上に組込み、トーションスプリング３６の一端を車体側に固定し、他方はフリー状態にして、シート収納室３内に収納時パイプ３７に固定されたピン３８がシートの回転に伴い、倒立位置手前から徐々にトーションスプリング３６を巻き込みながら収納位置まで回転させ、そのことがガタ及び衝撃を吸収させガタ及び衝撃の発生を防止するようにしてある。
【００２５】
【発明の効果】
本発明は上述の構成で、シートの折り畳み、床下への収納がスイッチ操作だけで可能になり、従って、遠隔操作や荷物を持ったままで操作が可能となって機能性が向上する。またパワーリクライニング機能及び折り畳み収納機能を持った装置が１モータでパワー化を図ることが出来る構成となり安価にできる。
【００２６】
更に、シート重量負荷に比例したトーションスプリングの反転力が働いているため、戻り動作の作動力が軽減出来、モータやギヤ等の駆動部への負荷も軽減でき、延いては駆動部の小型化が可能になる。
【００２７】
またシート重量負荷に比例した反転力が働くためガタ及び衝撃力を抑止し、収納動作が一定速度で行えるようになり、安定感かつ高級感が得られる。
【図面の簡単な説明】
【図１】本発明に係る折り畳みパワーシート装置の一実施例を示す側面図である。
【図２】図１の反対側からの側面図である。
【図３】図１の一部の拡大図である。
【図４】脚体部の正面から見たロック機構を示したものである。
【図５】図１のＸ−Ｘ線の縦断面図である。
【符号の説明】
１            床面
２            窓孔
３            収納室
４            回転軸
４ａ、１８、２０            歯車
５            軸受体
６、６ａ、２２、２２ａ            ブラケット
７            シート枠
８            脚杆
９            取付け金具
１０          脚体
１１          係止部材
１２          補強ブラケット
１３          偏心シャフト
１４、１６    スプロケット
１５          軸
１７          チェン
１９          仲介歯車
２１          モータ
２３、３４    ケーブル
２４          作動アーム
２５、２５ａ  挾持板
２６、２６ａ  ロック片
２７、２８    蓋板
２９          遊星歯車減速機構
２９ａ        外歯々車
２９ｂ        内歯々車
３０          シートクッション
３１          切欠
３２          ロックプレート
３２ａ        係合部
３３          引張スプリング
３５          アーム
３５ａ        連結軸
３６          トーションスプリング
３７          パイプ
３８          ピン
３９、４０    受部
４１          ブラケット
４１ａ        案内片
４１ｂ        プレート
４２          シートバック
ａ            ロック機構
Ａ            折畳みシート
Ｇ            歯車列
【図１】
0003798116.tif 000002
【図２】
0003798116.tif 000003
【図３】
0003798116.tif 000004
【図４】
0003798116.tif 000005
【図５】
0003798116.tif 000006